(57)【特許請求の範囲】
【請求項１】
トイレブースの入口両側の一方の仕切板の内側縁部に、ヒンジ継手又は蝶番を介してドアの一方の側縁部が取り付けられ、該ドアの前記側縁部は前記仕切板の前記内側縁部に対して重なるように配置され、前記ドアと前記仕切板との間に所定の隙間が形成されてなるトイレブース用ドアであって、
前記ドアには、幅方向中央側で前記トイレブースの入口より外側に張り出してなる張出部が形成されていることを特徴とするトイレブース用ドア。
【請求項２】
平面視で前記ドアの前記張出部の湾曲頂点と、前記仕切板の前記内側縁部の頂点とを含む直線上に、前記ドアの一方の前記側縁部が配置されていることを特徴とする請求項１に記載のトイレブース用ドア。
【請求項３】
前記ドアの他方の側縁部には、前記入口両側の他方の仕切板との間に第二の隙間を形成するように突出してなる当接ストッパが設けられていることを特徴とする請求項１又は２に記載のトイレブース用ドア。
【発明の詳細な説明】
【技術分野】
【０００１】
本発明は、例えば駅構内などに使用されるトイレブース用ドアに関する。
【背景技術】
【０００２】
従来、例えば駅構内に設置されているトイレブースのドアの取付け部は、ドアと仕切板とがトイレブースの内側で蝶番などによって内開きできるように連結されているのが一般的であった。これによると、蝶番側において、ドアが開いているときにドアと仕切板との間に隙間が形成され、ドアを閉じるとその隙間がなくなるため、ドアの開閉時にこの隙間に指などを挟み、怪我をするといった問題があった。
そこで、このような問題に対応したドアの取付け構造が、例えば特許文献１に開示されている。
図３は特許文献１のドア４０の取り付け構造の一例を示したものであり、ドア４０の一方の側縁部４０ａが蝶番継手３０を介して入口部の一方の仕切板２１の内側（あるいは仕切板２１の外側の場合もある）に取り付けられている。これにより、ドア４０は、その側縁部４０ａに設けた蝶番継手３０を支点として開閉される。また、このドア４０は、その幅をトイレブース１の入口２の幅より大きくし、ドア４０の両側縁部４０ａ、４０ｂが入口両側の仕切板２１、２２の内側縁部２１ａ、２２ａと重なり合う大きさとしている。そして、ドア４０の閉鎖状態で仕切板２１、２２の内側縁部２１ａ、２２ａと両側縁部４０ａ、４０ｂとの間に、例えば指の太さ寸法より大きな１５〜２５ｍｍ程度の隙間Ｓ１を設けた構造となっているため、指が挟まれることを防止することができる。
【特許文献１】特開平１０−４６９１２号公報
【発明の開示】
【発明が解決しようとする課題】
【０００３】
しかしながら、特許文献１では、ドアが平板形状をなしているため、ドアの両側縁部と仕切板の内側縁部とが重なる部分に形成される隙間Ｓ１を通して、図３に示す二点鎖線Ｌのようにトイレブースの外側からトイレ内側（二点鎖線Ｌと仕切板とによって囲われる領域）が見えてしまうといった問題があった。
【０００４】
本発明は、上述する問題点に鑑みてなされたもので、トイレブースの外側からトイレ内部を見えないようにしたトイレブース用ドアを提供することを目的とする。
【課題を解決するための手段】
【０００５】
上記目的を達成するため、本発明に係るトイレブース用ドアは、トイレブースの入口両側の一方の仕切板の内側縁部に、ヒンジ継手又は蝶番を介してドアの一方の側縁部が取り付けられ、ドアの側縁部は仕切板の内側縁部に対して重なるように配置され、ドアと仕切板との間に所定の隙間が形成されてなるトイレブース用ドアであって、ドアには、幅方向中央側でトイレブースの入口より外側に張り出してなる張出部が形成されていることを特徴としている。
本発明では、ドアの張出部をトイレブースの仕切板よりも外側に張り出し、しかもドアの側縁部を仕切板の内側縁部に対して重ねて配置させることで、ドアと仕切板との間の隙間においてトイレブースの外側からの視線をドアの張出部と仕切板或いはドアの側縁部によって遮断することができ、トイレブースの内部を見通せないようにすることができる。
【０００６】
また、本発明に係るトイレブース用ドアでは、平面視でドアの張出部の湾曲頂点と、仕切板の内側縁部の頂点とを含む直線上に、ドアの一方の側縁部が配置されていることが好ましい。
本発明では、ドアの張出部の湾曲頂点と、仕切板の内側縁部の頂点と、これらの頂点を含む直線及びドアの一方の側縁部が交差する位置とを任意に設定して、トイレブースの内部が見えない状態となるようにドアと仕切板を配置することができる。例えば張出部を大きく張り出すことで、仕切板に対するドアの重なり長を小さくすることができる。
【０００７】
また、本発明に係るトイレブース用ドアでは、ドアの他方の側縁部には、入口両側の他方の仕切板との間に第二の隙間を形成するように突出してなる当接ストッパが設けられていることが好ましい。
本発明では、第二の隙間を入口両側で同じ隙間寸法になるように突出させることで、ドアを左右方向にバランスの取れた形状とすることができる。
【発明の効果】
【０００８】
本発明のトイレブース用ドアによれば、ドアに張出部を設け、ドアと仕切板とに重なり部を設けたことで、ドアと仕切板との間に形成される隙間を通してトイレブースの外側からトイレ内部が見えなくなり、トイレの目隠し効果を奏する。
【発明を実施するための最良の形態】
【０００９】
以下、本発明のトイレブース用ドアの実施の形態について、図１及び図２に基づいて説明する。
図１は本発明の実施の形態によるトイレブースの全体を示す斜視図、図２は目隠しドアの取付け状態を示す平面図である。
【００１０】
図１に示すように、本実施の形態によるトイレブース用ドアは、例えば駅構内などに設けられ、内側にトイレ本体Ｃを備えたトイレブース１に適用されるものである。
このトイレブース１は、入口２を有してトイレ本体Ｃを囲むように配置された仕切板２０（入口両側に配置されるものを仕切板２１、２２と区別する）と、一方の仕切板２１の内側縁部２１ａにヒンジ継手３０（図２参照）を支点にして開閉可能（矢印Ｅ方向）に取り付けられた目隠しドア１０（ドア）とからなる。
ここで、トイレブース１において、仕切板２１、２２の内空側を「内側」とし、仕切板２１、２２の外方を「外側」として以下説明する。
【００１１】
図２に示すように、目隠しドア１０は、入口２の幅より大きな幅をなし、両ドア側縁部１０ａ、１０ｂから幅方向中央側の第一湾曲部１０ｄ、１０ｄでトイレブース１の外側に向けて湾曲し、傾斜部１０ｆ、１０ｆを経てさらに第二湾曲部１０ｅ、１０ｅで湾曲して仕切板２１、２２と平行になるようにドア張出部１０ｃを形成させている。このドア張出部１０ｃは、幅方向中央側でトイレブース１の入口２より外側に張り出した位置となる。そして、目隠しドア１０は、目隠しドア１０を閉じた状態で、仕切板２１、２２に対して横方向に重なるように配置（この箇所を重なり部Ｒとする）されている。
また、目隠しドア１０は、例えば厚さ寸法６〜３０ｍｍｍのメラミンソリッド板を曲げ加工することにより製造できる。
【００１２】
図２に示すように、ヒンジ継手３０は、目隠しドア１０のドア側縁部１０ａの外側に固定される第一係止部３１と、仕切板２１の内側縁部２１ａに固定される第二係止部３２と、位置が固定された第二係止部３２に対して第一係止部３１を目隠しドア１０が開閉する方向に回動させる回転軸部３３とからなる。そして、このヒンジ継手３０は、高さ方向の所定位置（例えば二箇所程度）に設けられている。これにより、目隠しドア１０は、ヒンジ継手３０の回転軸部３３を支点にして矢印Ｅ方向に開閉することができる。
【００１３】
また、目隠しドア１０の他方のドア側縁部１０ｂには、その内側の所定高さの位置に固定された取手部１１と、ドア側縁部１０ｂの外側（仕切板２２の内側縁部２２ａ側）に固定された当接ストッパ１２とが設けられている。当接ストッパ１２は、目隠しドア１０を閉じたときに、その先端１２ａが仕切板２２の内側縁部２２ａに当接して目隠しドア１０の回動を停止させるものである。
さらに、仕切板２２の内側縁部２２ａには、目隠しドア１０をトイレ内側からロックする回転鍵１３が設けられている。この回転鍵１３は、回転軸を仕切板２２に直交する方向に向けて取り付けた回転部１３ａと、その回転部１３ａの略径方向に固着させた係止部１３ｂとからなり、係止部１３ｂを手動で回転させて目隠しドア１０の取手部１１の上端に係止させることで目隠しドア１０をロックさせることができる。
【００１４】
このような構成であることから、目隠しドア１０が閉じた状態のとき、一方の仕切板２１の内側縁部２１ａと目隠しドア１０のドア側縁部１０ａとの間に第一の隙間Ｓ１が形成され、他方の仕切板２２の内側縁部２２ａと目隠しドア１０のドア側縁部１０ｂとの間に第二の隙間Ｓ２が形成されることになる。したがって、目隠しドア１０の開閉時に目隠しドア１０と仕切板２１、２２との間において、指などが挟まれることを防止することができる。
なお、当接ストッパ１２の突出量は、第二の隙間Ｓ２が、第一の隙間Ｓ１と同じ隙間寸法になるように突出させることが好ましい。これにより、目隠しドア１０を左右方向にバランスの取れた形状にできる。
【００１５】
ここで、目隠しドア１０の寸法、目隠しドア１０と仕切板２１、２２との取付け寸法は、例えば次のように設定できる。
図２に示すように、目隠しドア１０は、トイレブース１の入口２の幅（開口）６００ｍｍより両側に夫々５６ｍｍずつ大きく形成される。そして、傾斜部１０ｆの傾斜角度を３０°に設定し、ドア張出部１０ｃの張り出し量を両ドア側縁部１０ａ、１０ｂから７２ｍｍ、仕切板２０の外側面から３６．５ｍｍに設計できる。このときの第一及び第二の隙間Ｓ１、Ｓ２は、夫々２９ｍｍとなる。目隠しドア１０は、湾曲させた形状とすることで部材の剛性を大きくすることができるため、湾曲形状でない平板形状のドアの必要厚さ寸法が例えば１３ｍｍであるのに対して、上述したように８ｍｍの厚さ寸法とすることができる。また、目隠しドア１０の材料として、メラミンソリット板、金属板、アクリル樹脂板、ポリカーボネート板、発泡樹脂を芯材とした化粧板などがある。
【００１６】
次に、目隠しドア１０の作用についてさらに詳しく説明する。なお、本説明では主に第一の隙間Ｓ１側について説明するが、第二の隙間Ｓ２についても同様の構成とする。
先ず、図２に示すように平面視で第二湾曲部１０ｄの頂部に位置するドア湾曲頂点Ｐ１と、仕切板２１の内側縁部２１ａの端部に位置する仕切板頂点Ｐ２とを含む直線を視線Ｌとする。また、平面視でドア張出部１０ｃに直交する方向に対する角度を傾斜角度αとする。
本トイレブース１では、仕切板２１の内側縁部２１ａに対して目隠しドア１０のドア側縁部１０ａを重ねた構成であり、この重なり長は、目隠しドア１０のドア側縁部１０ａによって視線Ｌを遮断させる長さとする。なお、このときの視線Ｌと目隠しドア１０のドア側縁部１０ａとの交点を視線遮断点Ｐ３とする。
そうすると、トイレブース１の外側からの視線Ｌは、目隠しドア１０のドア側縁部１０ａによってトイレブース１の内部と遮断される。したがって、トイレブース１の外側から仕切板２０の内面が見えない状態となる。
なお、例えば目隠しドア１０のドア側縁部１０ａが視線遮断点Ｐ３に達していない長さの場合（目隠しドア１０が視線Ｌを交差しない場合）には、視線Ｌが仕切板２０の内面（図に示すＰ４）に達し、トイレブース１の内部が見える状態となり好ましくない。
【００１７】
また、目隠しドア１０では、例えばドア張出部１０ｃをさらに外側に張り出して視線Ｌの視線角度αを大きくすることで、仕切板２１、２２に対する目隠しドア１０の重なり長を小さくすることができる。逆に、目隠しドア１０と仕切板２１、２２との重なり長を大きくすることで、ドア張出部１０ｃの張り出し量を小さくできる。また、目隠しドア１０の傾斜部１０ｆと仕切板頂点Ｐ２との間隔を、例えば指を挟まない程度まで近づけることで視線Ｌの傾斜角度αが小さくなり、目隠しドア１０と仕切板２１との重なり長を小さくすることができる。
このように、視線Ｌが遮断されてトイレブース１の内部が見えない状態となるように、ドア湾曲頂点Ｐ１、仕切板頂点Ｐ２及び視線遮断点Ｐ３の位置を任意に設定することができる。
さらに、ドア張出部１０ｃの張り出し量を大きくして目隠しドア１０と仕切板２１、２２との重なり長を短くすることで、目隠しドア１０の開閉に要する領域が広くなることを抑えることができ、トイレブース１のスペースを大きく確保することなく設置できる。
【００１８】
上述した本実施の形態によるトイレブース用ドアでは、目隠しドア１０にドア張出部１０ｃを設け、目隠しドア１０と仕切板２１、２２とに重なり部Ｒを設けたことで、目隠しドア１０と仕切板２１、２２との間に形成される第一及び第二の隙間Ｓ１、Ｓ２を通してトイレブース１の外側からトイレ内部が見えなくなり、トイレの目隠し効果を奏する。
【００１９】
以上、本発明によるトイレブース用ドアの実施の形態について説明したが、本発明は上記の実施の形態に限定されるものではなく、その趣旨を逸脱しない範囲で適宜変更可能である。
例えば、本実施の形態では目隠しドア１０の両側縁部１０ａ、１０ｂに夫々隙間Ｓ１、Ｓ２を設けているが、一般的にはドアの継手部で指を挟む場合が多いことから、目隠しドア１０の他方のドア側縁部１０ｂが仕切板２２の内側縁部２２ａに当接するようにして、当接ストッパ１２側の第二の隙間Ｓ２を設けない構成としてもよい。
また、目隠しドア１０を開閉するための継手は、本実施の形態で示したヒンジ継手３０に限定されることはなく、蝶番であってもかまわない。要は目隠しドア１０を閉じた状態で、仕切板２１の内側縁部２１ａにおいて所定寸法の隙間Ｓ１が設けられ、且つ仕切板２１に対して目隠しドア１０を所定の重なり部Ｒを形成して配置されるように目隠しドア１０を連結できればよいのである。
さらに、本実施の形態では目隠しドア１０を湾曲させて張出部１０ｃを形成しているが、例えば任意の箇所で略直角に折り曲げて張出部１０ｃを形成させるようにしてもかまわない。
【図面の簡単な説明】
【００２０】
【図１】本発明の実施の形態によるトイレブースの全体を示す斜視図である。
【図２】目隠しドアの取付け状態を示す平面図である。
【図３】従来のドアの取り付け部を示す平面図である。
【符号の説明】
【００２１】
１  トイレブース
１０  目隠しドア
１０ａ、１０ｂ  ドア側縁部
１０ｃ  ドア張出部
１２  当接ストッパ
２０、２１、２２  仕切板
２１ａ、２２ａ  内側縁部
３０  ヒンジ継手
Ｌ  視線（直線）
Ｐ１  ドア湾曲頂点
Ｐ２  仕切板頂点
Ｐ３  視線遮断点
Ｓ１  第１の隙間
【図１】
0004699912.tif 000002
【図２】
0004699912.tif 000003
【図３】
0004699912.tif 000004